(57)【要約】ＰＤＣＣＨのモニター方法及び端末機器を提供する。方法は、端末機器が物理ダウンリンク制御チャネルＰＤＣＣＨをモニターした際に、第１のタイマーを起動又は再起動させるステップと、端末機器は、第１の時間ユニットでの第１のタイマーの終了時点の位置に基づいて、端末機器が、断続的な受信ＤＲＸ  ＯＦＦ状態に入るか、又は引き続きＰＤＣＣＨをモニターするかを決定するステップと、を含み、そのうち、第１の時間ユニットが、端末機器のＰＤＣＣＨをモニターするための時間帯であり、ＤＲＸ  ＯＦＦ状態が、端末機器のＰＤＣＣＨをモニターしない状態を指す。本発明の実施例の方法により、第１のタイマーの終了時点に続く一定の時間内に、端末機器が引き続きスケジュールされても、端末機器も持続的にアクティブ期間にあり、即ち、設定されたアクティブ期間内にＰＤＣＣＨを持続的にモニターし、データ送信の成功率を効率的に向上させる。【選択図】図２
2021510014.tif 000002
【特許請求の範囲】
【請求項１】
ＰＤＣＣＨをモニターするための方法であって、
端末機器が物理ダウンリンク制御チャネルＰＤＣＣＨをモニターした際に、第１のタイマーを起動又は再起動させるステップと、
前記端末機器は、第１の時間ユニットでの前記第１のタイマーの終了時点の位置に基づいて、前記端末機器が、断続的な受信ＤＲＸ  ＯＦＦ（オフ）状態に入るか、又は引き続きＰＤＣＣＨをモニターするかを決定するステップとを含み、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指すことを特徴とするＰＤＣＣＨをモニターするための方法。
【請求項２】
前記端末機器は、第１の時間ユニットでの前記第１のタイマーの終了時点の位置に基づいて、前記端末機器が、断続的な受信ＤＲＸ状態に入るか、又は引き続きＰＤＣＣＨをモニターするかを決定するステップは、
前記第１のタイマーの終了時点が前記第１の時間ユニット内にある場合、前記端末機器が引き続きＰＤＣＣＨをモニターするステップを含むことを特徴とする請求項１に記載の方法。
【請求項３】
前記方法はさらに、
前記第１のタイマーの終了時点から前記第１の時間ユニットの終了時点までの間に、ＰＤＣＣＨをモニターしなかった場合、前記端末機器が前記ＤＲＸ  ＯＦＦ状態に入るステップを含むことを特徴とする請求項２に記載の方法。
【請求項４】
前記方法はさらに、
前記第１のタイマーの終了時点から前記第１の時間ユニットの終了時点までの間に、ＰＤＣＣＨをモニターした場合、前記端末機器が前記第１のタイマーを再起動させるステップを含むことを特徴とする請求項２に記載の方法。
【請求項５】
前記第１の時間ユニットの長さがネットワーク機器によって設定されることを特徴とする請求項１〜請求項４のいずれか１項に記載の方法。
【請求項６】
前記第１の時間ユニットが少なくとも１つの直交周波数分割多重ＯＦＤＭシンボルを含むことを特徴とする請求項１〜請求項５のいずれか１項に記載の方法。
【請求項７】
前記第１の時間ユニットの長さが前記端末機器の制御リソースセットの時間の長さであることを特徴とする請求項１〜請求項５のいずれか１項に記載の方法。
【請求項８】
前記第１の時間ユニットの単位がミリ秒であるか、又は前記単位がＯＦＤＭシンボルの数であることを特徴とする請求項１〜請求項７のいずれか１項に記載の方法。
【請求項９】
前記第１の時間ユニットの開始位置がネットワーク機器によって設定されることを特徴とする請求項１〜請求項８のいずれか１項に記載の方法。
【請求項１０】
前記第１の時間ユニットの開始位置が１つのタイムスロット内のいずれか１つのシンボルの位置であり、前記タイムスロットが７つ又は１４つの直交周波数分割多重ＯＦＤＭシンボルを含むことを特徴とする請求項１〜請求項９のいずれか１項に記載の方法。
【請求項１１】
端末機器であって、
物理ダウンリンク制御チャネルＰＤＣＣＨをモニターした際に、第１のタイマーを起動又は再起動させるための起動ユニットと、
第１の時間ユニットでの前記第１のタイマーの終了時点の位置に基づいて、前記端末機器が、断続的な受信ＤＲＸ  ＯＦＦ（オフ）状態に入るか、又は、引き続きＰＤＣＣＨをモニターするかを決定するための処理ユニットと、を含み、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指すことを特徴とする端末機器。
【請求項１２】
前記処理ユニットはさらに、
前記第１のタイマーの終了時点が前記第１の時間ユニット内にある際に、引き続きＰＤＣＣＨをモニターするためのものであることを特徴とする請求項１１に記載の端末機器。
【請求項１３】
前記処理ユニットはさらに、
前記第１のタイマーの終了時点から前記第１の時間ユニットの終了時点までの間に、ＰＤＣＣＨをモニターしなかった場合、前記ＤＲＸ  ＯＦＦ状態に入るためのものであることを特徴とする請求項１２に記載の端末機器。
【請求項１４】
前記起動ユニットはさらに、
前記第１のタイマーの終了時点から前記第１の時間ユニットの終了時点までの間に、ＰＤＣＣＨをモニターした場合、前記端末機器が前記第１のタイマーを再起動させるためのものであることを特徴とする請求項１２に記載の端末機器。
【請求項１５】
前記第１の時間ユニットの長さがネットワーク機器によって設定されることを特徴とする請求項１１〜請求項１４のいずれか１項に記載の端末機器。
【請求項１６】
前記第１の時間ユニットが少なくとも１つの直交周波数分割多重ＯＦＤＭシンボルを含むことを特徴とする請求項１１〜請求項１５のいずれか１項に記載の端末機器。
【請求項１７】
前記第１の時間ユニットの長さが前記端末機器の制御リソースセットの時間の長さであることを特徴とする請求項１１〜請求項１５のいずれか１項に記載の端末機器。
【請求項１８】
前記第１の時間ユニットの単位がミリ秒であるか、又は前記単位がＯＦＤＭシンボルの数であることを特徴とする請求項１１〜請求項１７のいずれか１項に記載の端末機器。
【請求項１９】
前記第１の時間ユニットの開始位置がネットワーク機器によって設定されることを特徴とする請求項１１〜請求項１８のいずれか１項に記載の端末機器。
【請求項２０】
前記第１の時間ユニットの開始位置が１つのタイムスロット内のいずれか１つのシンボルの位置であり、前記タイムスロットが７つ又は１４つの直交周波数分割多重ＯＦＤＭシンボルを含むことを特徴とする請求項１１〜請求項１９のいずれか１項に記載の端末機器。
【発明の詳細な説明】
【技術分野】
【０００１】
本発明の実施例は、通信の分野に関し、特にＰＤＣＣＨをモニターするための方法及び端末機器に関する。
【背景技術】
【０００２】
従来の技術において、パケットベースのデータフローは、一般的に、バースト性がある。言い換えると、端末機器では、一定の時間内にデータ送信が発生するが、続いている一定の長時間内にデータ送信が発生しない。これにより、端末機器による物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）に対するブラインド検査が絶えずに継続すると、端末機器に過剰な消費電力がかかってしまう。
【０００３】
上記問題を解決するために、ロングタームエボリューション（Ｌｏｎｇ  Ｔｅｒｍ  Ｅｖｏｌｕｔｉｏｎ、ＬＴＥ（登録商標））に断続的な受信（Ｄｉｓｃｏｎｔｉｎｕｏｕｓ  Ｒｅｃｅｐｔｉｏｎ、ＤＲＸ）というコンセプトを提案した。具体的には、端末機器でのデータ送信が発生しない際に、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）（この際、ＰＤＣＣＨに対するブラインド検査が停止される）の受信を停止することで、消費電力を低減し、これによってバッテリーの使用時間を高めることができる。
【０００４】
より具体的には、ネットワーク機器は、無線リソース制御接続（Ｒａｄｉｏ  Ｒｅｓｏｕｒｃｅ  Ｃｏｎｔｒｏｌ＿ＣＯＮＮＥＣＴＥＤ、ＲＲＣ＿ＣＯＮＮＥＣＴＥＤ）の状態にある端末機器に１つのＤＲＸ  サイクル（ｃｙｃｌｅ）を設定する。
【０００５】
そのうち、ＤＲＸ  ｃｙｃｌｅが、アクティブ期間（Ｏｎ  Ｄｕｒａｔｉｏｎ）と休眠期間（Ｏｐｐｏｒｔｕｎｉｔｙ  ｆｏｒ  ＤＲＸ）からなり、Ｏｎ  Ｄｕｒａｔｉｏｎ時間内に、端末機器がＰＤＣＣＨをモニターして受信する。Ｏｐｐｏｒｔｕｎｉｔｙ  ｆｏｒ  ＤＲＸ時間内に、消費電力を減少するために、端末機器がＰＤＣＣＨを受信しない。
【０００６】
しかしながら、ニューラジオ（Ｎｅｗ  Ｒａｄｉｏ、ＮＲ）では、ＰＤＣＣＨが異なるサイクルとＯｎ  Ｄｕｒａｔｉｏｎをサポートすることができる。同時に、ＤＲＸ無活動タイマー（ｄｒｘ−ＩｎａｃｔｉｖｉｔｙＴｉｍｅｒ）の位置も柔軟である。ｄｒｘ−ＩｎａｃｔｉｖｉｔｙＴｉｍｅｒの失効した時点がとあるＰＤＣＣＨモニターリング場合（ｍｏｎｉｔｏｒｉｎｇ  ｏｃｃａｓｉｏｎ）の中間にある場合、当該ＰＤＣＣＨに対するモニターリングがｄｒｘ−ＩｎａｃｔｉｖｉｔｙＴｉｍｅｒの失効によって中止され、後続のデータの受信に支障が生じ、さらに、データ送信の成功率を低下させる。
【発明の概要】
【発明が解決しようとする課題】
【０００７】
データ送信の成功率を効率的に向上させる可能なＰＤＣＣＨをモニターするための方法及び端末機器を提供する。
【課題を解決するための手段】
【０００８】
第１の態様では、ＰＤＣＣＨをモニターするための方法を提供し、
端末機器が物理ダウンリンク制御チャネルＰＤＣＣＨをモニターした際に、第１のタイマーを起動又は再起動させるステップと、前記端末機器は、第１の時間ユニットでの前記第１のタイマーの終了時点の位置に基づいて、前記端末機器が、断続的な受信ＤＲＸオフＯＦＦ状態に入るか、又は引き続きＰＤＣＣＨをモニターするかを決定するステップとを含み、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指す。
【０００９】
本発明の実施例の方法により、当該第１のタイマーの終了時点に続く一定の時間内に、端末機器が引き続きスケジュールされても、当該端末機器も持続的にアクティブ期間にあり、即ち、設定されたアクティブ期間内にＰＤＣＣＨを持続的にモニターし、データ送信の成功率を効率的に向上させる。
【００１０】
いくつかの可能な実施形態では、前記端末機器は、第１の時間ユニットでの前記第１のタイマーの終了時点の位置に基づいて、前記端末機器が、断続的な受信ＤＲＸ状態に入るか、又は、引き続きＰＤＣＣＨをモニターするかを決定するステップは、
前記第１のタイマーの終了時点が前記第１の時間ユニット内にある場合、前記端末機器が引き続きＰＤＣＣＨをモニターするステップを含む。
【００１１】
いくつかの可能な実施形態では、前記方法は、さらに、
前記第１のタイマーの終了時点から前記第１の時間ユニットの終了時点までの間に、ＰＤＣＣＨをモニターしなかった場合、前記端末機器が前記ＤＲＸ  ＯＦＦ状態に入るステップを含む。
【００１２】
いくつかの可能な実施形態では、前記方法はさらに、
前記第１のタイマーの終了時点から前記第１の時間ユニットの終了時点までの間に、ＰＤＣＣＨをモニターした場合、前記端末機器が前記第１のタイマーを再起動させるステップを含む。
【００１３】
いくつかの可能な実施形態では、前記第１の時間ユニットの長さがネットワーク機器によって設定される。
【００１４】
いくつかの可能な実施形態では、前記第１の時間ユニットが少なくとも１つの直交周波数分割多重ＯＦＤＭシンボルを含む。
【００１５】
いくつかの可能な実施形態では、前記第１の時間ユニットの長さが前記端末機器の制御リソースセットの時間の長さである。
【００１６】
いくつかの可能な実施形態では、前記第１の時間ユニットの単位がミリ秒であり、又は前記単位がＯＦＤＭシンボルの数である。
【００１７】
いくつかの可能な実施形態では、前記第１の時間ユニットの開始位置がネットワーク機器によって設定される。
【００１８】
いくつかの可能な実施形態では、前記第１の時間ユニットの開始位置が１つのタイムスロット内のいずれか１つのシンボルの位置であり、前記タイムスロットが７つ又は１４つの直交周波数分割多重ＯＦＤＭシンボルを含む。
【００１９】
第２の態様では、端末機器を提供し、前記端末機器は、
物理ダウンリンク制御チャネルＰＤＣＣＨをモニターした際に、第１のタイマーを起動又は再起動させるための起動ユニットと、第１の時間ユニットでの前記第１のタイマーの終了時点の位置に基づいて、前記端末機器が、断続的な受信ＤＲＸオフＯＦＦ状態に入るか、又は、引き続きＰＤＣＣＨをモニターするかを決定するための処理ユニットとを含み、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指す。
【００２０】
第３の態様では、プロセッサを含む端末機器を提供し、前記プロセッサは、
物理ダウンリンク制御チャネルＰＤＣＣＨをモニターした際に、第１のタイマーを起動又は再起動させること、及び第１の時間ユニットでの前記第１のタイマーの終了時点の位置に基づいて、前記端末機器が、断続的な受信ＤＲＸオフＯＦＦ状態に入るか、又は、引き続きＰＤＣＣＨをモニターするかを決定することに用いられ、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指す。
【００２１】
第４の態様では、上記第１の態様の方法の実施例を実行するための命令を含むコンピュータープログラムを記憶するためのコンピューター読み取り可能な媒体を提供する。
【００２２】
第５の態様では、コンピューターチップを提供し、前記コンピューターチップは入力インタフェース、出力インタフェース、少なくとも１つのプロセッサ、及びメモリを含み、前記プロセッサが前記メモリ内のコードを実行するためのものであり、前記コードが実行される際に、前記プロセッサが上記の第１の態様におけるＰＤＣＣＨをモニターするための方法における端末機器によって実行されるさまざまな過程を実施することができる。
【００２３】
第６の態様では、前述した前記端末機器とネットワーク機器を含む通信システムを提供する。
【図面の簡単な説明】
【００２４】
【図１】本発明に係る応用シーンの例である。
【図２】本発明の実施例に係るＰＤＣＣＨをモニターするための方法の概略フローチャートである。
【図３】本発明の実施例に係るＤＲＸの概略図である。
【図４】本発明の実施例に係る端末機器の概略ブロック図である。
【図５】本発明の実施例に係るもう１つの端末機器の概略ブロック図である。
【発明を実施するための形態】
【００２５】
図１は、本発明の実施例に係る応用シーンの概略図である。
【００２６】
図１に示すように、通信システム１００は、端末機器１１０とネットワーク機器１２０を含んでよい。ネットワーク機器１２０がラジオによって端末機器１１０に通信することができる。端末機器１１０とネットワーク機器１２０の間では、マルチサービス伝送をサポートする。
【００２７】
しかしながら、パケットベースのデータフローは、一般的に、バースト性がある。言い換えると、端末機器１００では、一定の時間内にデータ送信が発生するが、続いている一定の長時間内にデータ送信が発生しない。これにより、端末機器１００による物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）に対するブラインド検査が絶えずに継続すると、端末機器に過剰な消費電力がかかってしまう。
【００２８】
ロングタームエボリューション（Ｌｏｎｇ  Ｔｅｒｍ  Ｅｖｏｌｕｔｉｏｎ、ＬＴＥ）に断続的な受信（Ｄｉｓｃｏｎｔｉｎｕｏｕｓ  Ｒｅｃｅｐｔｉｏｎ、ＤＲＸ）というコンセプトを提案したが、具体的に、ＤＲＸの主な考えは、ネットワークは、端末がネットワークによって予測される時点にスタートする（ＤＲＸ  ＯＮ）ように構成されることができ、即ち、無線周波数ＲＦがオンにし、端末がダウンリンク制御チャネルをモニターするとともに、ネットワークは、端末がネットワークによって予測される時点にスリープする（ＤＲＸ  ＯＦＦ）ように構成されることもでき、即ち、無線周波数ＲＦがオフにし、端末がダウンリンク制御チャネルをモニターしないことである。このように、端末に送信すべきデータがある場合、ネットワークによる端末ＤＲＸ  ＯＮの時間内の端末のスケジューリングが可能であるのに対して、ＤＲＣ  ＯＦＦ時間内に、無線周波数がオフにするため、端末の電気消費を減少することができる。
【００２９】
しかしながら、ニューラジオ（Ｎｅｗ  Ｒａｄｉｏ、ＮＲ）では、ＰＤＣＣＨが異なるサイクルとＯｎ  Ｄｕｒａｔｉｏｎをサポートすることができる。また、ＤＲＸ無活動タイマー（ｄｒｘ−ＩｎａｃｔｉｖｉｔｙＴｉｍｅｒ）の位置も柔軟である。
【００３０】
ｄｒｘ−ＩｎａｃｔｉｖｉｔｙＴｉｍｅｒの失効した時点がとあるＰＤＣＣＨモニターリング場合（ｍｏｎｉｔｏｒｉｎｇ  ｏｃｃａｓｉｏｎ）の中間にある場合、当該ＰＤＣＣＨに対するモニターリングがｄｒｘ−ＩｎａｃｔｉｖｉｔｙＴｉｍｅｒの失効によって中止され、後続のデータの受信に支障が生じ、さらに、データ送信の成功率を低下させることがわかる。
【００３１】
例えば、従来のＰＤＣＣＨモニターリング（ｍｏｎｉｔｏｒｉｎｇ）では、ＰＤＣＣＨのＯｎ  Ｄｕｒａｔｉｏｎが隣接する２つのタイムスロット（ｓｌｏｔ）を跨り、その結果、ｄｒｘ−ＩｎａｃｔｉｖｅＴｉｍｅｒが正確に操作できなくなる場合もある。
【００３２】
よって、本発明の実施例では、ＰＤＣＣＨをモニターするための方法を提供し、ｄｒｘ−ＩｎａｃｔｉｖｉｔｙＴｉｍｅｒとｍｏｎｉｔｏｒｉｎｇ  ｏｃｃａｓｉｏｎとの位置関係を分析し、端末機器によるＰＤＣＣＨモニターリングのプロセスを完備させることにより、データ送信の成功率を効率的に向上させることができる。
【００３３】
本発明の実施例は、通信システム１００のみをもって例示的に説明をしたが、本発明の実施例はこれらに限定されないと理解すべきである。つまり、本発明の実施例の技術的解決手段が、種々の通信システム、例えば、グローバルモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、コード分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ時分割デュプレックス（Ｔｉｍｅ  Ｄｉｖｉｓｉｏｎ  Ｄｕｐｌｅｘ、ＴＤＤ）、汎用モバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）などに適用されることができる。
【００３４】
なお、本発明はネットワーク機器と端末機器と組み合わせた様々な実施例を説明する。
【００３５】
そのうち、ネットワーク機器１２０が、信号を送信又は受信するためのネットワーク側のいずれか１種のエンティティを指してよい。例えば、マシンタイプコミュニケーション（ＭＴＣ）のユーザ機器、ＧＳＭ又はＣＤＭＡでの基地局（Ｂａｓｅ  Ｔｒａｎｓｃｅｉｖｅｒ  Ｓｔａｔｉｏｎ、ＢＴＳ）、ＷＣＤＭＡでの基地局（ＮｏｄｅＢ）、ＬＴＥでの進化型基地局（Ｅｖｏｌｕｔｉｏｎａｌ  Ｎｏｄｅ  Ｂ、ｅＮＢ又はｅＮｏｄｅＢ）、５Ｇネットワークでの基地局機器などであってもよい。
【００３６】
端末機器１１０が任意の端末機器であってもよい。具体的に、端末機器１１０が無線アクセスネットワーク（Ｒａｄｉｏ  Ａｃｃｅｓｓ  Ｎｅｔｗｏｒｋ、ＲＡＮ）によって１つ又は複数のコアネットワーク（Ｃｏｒｅ  Ｎｅｔｗｏｒｋ）に通信することができ、アクセス端末、ユーザ機器（Ｕｓｅｒ  Ｅｑｕｉｐｍｅｎｔ、ＵＥ）、ユーザユニット、ユーザステーション、モバイルステーション、モバイル局、リモートステーション、リモート端末、モバイル機器、ユーザ端末、端末、無線通信機器、ユーザエージェント又はユーザ装置と呼ばれてもよい。例えば、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルプロセッシング（Ｐｅｒｓｏｎａｌ  Ｄｉｇｉｔａｌ  Ａｓｓｉｓｔａｎｔ、ＰＤＡ）、ワイヤレス通信機能付きのハンドヘルド機器、コンピューティング機器又はワイヤレスモデムに接続されたほかのプロセッシング機器、車載機器、ウェアラブル機器及び５Ｇネットワークでの端末機器などであってもよい。
【００３７】
図２は、本発明の実施例に係るＰＤＣＣＨをモニターするための方法の概略フローチャートである。
【００３８】
具体的に、図２に示すように、当該方法は、
端末機器が、ＰＤＣＣＨをモニターした場合、第１のタイマーを起動又は再起動させるステップ２１０と、
当該端末機器が、第１の時間ユニットでの当該第１のタイマーの終了時点の位置に基づいて、当該端末機器がＤＲＸ  ＯＦＦ（オフ）状態に入るか、又は引き続きＰＤＣＣＨをモニターするかを決定するステップ２２０と、を含む。
【００３９】
具体的に、ほとんどの場合には、とあるサブフレームに、端末機器がデータを受信又は送信するようにスケジュールされた後、後続のいくつかのサブフレームの内、引き続きスケジュールされる可能性が大きく、これらのデータを次のＤＲＸ  サイクル（ｃｙｃｌｅ）まで受信又は送信すると、追加の遅延が生じる。この種の遅延を低減するために、ＵＥがスケジュールされた後、持続的にアクティブ期間にあり、即ち、設定されたアクティブ期間内に、持続的に物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）をモニターすることになる。
【００４０】
理解すべきものとして、本発明の実施例における当該第１の時間ユニットが当該端末機器のＰＤＣＣＨをモニターするための時間帯であり、当該ＤＲＸ  ＯＦＦ状態が、当該端末機器のＰＤＣＣＨをモニターしない状態を指す。
【００４１】
注意すべきものとして、本発明の実施例における当該ＤＲＸ  ＯＦＦ状態は、当該端末機器が休眠期間にある状態を指す。
【００４２】
より具体的には、メディアアクセス制御（Ｍｅｄｉａ  Ａｃｃｅｓｓ  Ｃｏｎｔｒｏｌ、ＭＡＣ）エンティティ（ｅｎｔｉｔｙ）は、無線リソース制御（Ｒａｄｉｏ  Ｒｅｓｏｕｒｃｅ  Ｃｏｎｔｒｏｌ、ＲＲＣ）によってＤＲＸ機能を設定し、端末がＰＤＣＣＨをモニターする行為を制御するためのものである。
【００４３】
例えば、図３に示すように、ネットワーク機器が端末機器のために設定したＤＲＸ  ｃｙｃｌｅはアクティブ期間（Ｏｎ  Ｄｕｒａｔｉｏｎ）と休眠期間（Ｏｐｐｏｒｔｕｎｉｔｙ  ｆｏｒ  ＤＲＸ）からなり、ＲＲＣ接続状態（ＲＲＣ  ＣＯＮＮＥＣＴＥＤ）のモードの下、端末にＤＲＸ機能が設定されると、Ｍａｃ  ｅｎｔｉｔｙがＯｎ  Ｄｕｒａｔｉｏｎ時間内にある場合、端末機器がＰＤＣＣＨをモニターして受信することができる。Ｏｐｐｏｒｔｕｎｉｔｙ  ｆｏｒ  ＤＲＸ時間内にある場合、端末機器が、消費電力を減少するために、ＰＤＣＣＨを受信しない。
【００４４】
本発明の実施例では、休眠期間にある端末機器が、ＰＤＣＣＨのみを受信しないが、ほかの物理チャネルからのデータを受信することができる。本発明の実施例はこれを限定せず、例えば、当該端末機器が、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、確認／未確認（ＡＣＫ／ＮＡＣＫ）などを受信することができる。また、例えば、半永続的スケジューリング（Ｓｅｍｉ−Ｐｅｒｓｉｓｔｅｎｔ  Ｓｃｈｅｄｕｌｉｎｇ、ＳＰＳ）では、当該端末機器が、周期的に設定されたＰＤＳＣＨデータを受信することができる。
【００４５】
本発明の実施例では、１種の選択的な実施メカニズムは、当該第１のタイマーが非アクティブタイマー（ｄｒｘ−ＩｎａｃｔｉｖｉｔｙＴｉｍｅｒ）である。
【００４６】
具体的には、当該端末機器が初期的にデータを送信するためにスケジュールされる際に、１つのｄｒｘ−ＩｎａｃｔｉｖｉｔｙＴｉｍｅｒを起動（又は再起動）させ、ＵＥが当該ｄｒｘ−ＩｎａｃｔｉｖｉｔｙＴｉｍｅｒがタイムアウトになるまで継続的にアクティブ状態にある。ｄｒｘ−ＩｎａｃｔｉｖｉｔｙＴｉｍｅｒは、ＵＥが初期的に送信されたＵＬ又はＤＬユーザデータを指示する１つのＰＤＣＣＨをデコードすることに成功した後、持続的にアクティブ状態にある「連続ＰＤＣＣＨサブフレームの数」を指定する。
【００４７】
例えば、ＵＥがアクティブ期間（Ｏｎ  Ｄｕｒａｔｉｏｎ）中に１つのスケジューリングメッセージ（初期的に送信されたＰＤＣＣＨを指示する）を受信した際に、ＵＥが１つの「ｄｒｘ−ＩｎａｃｔｉｖｉｔｙＴｉｍｅｒ」を起動して、当該ｄｒｘ−ＩｎａｃｔｉｖｉｔｙＴｉｍｅｒの作動期間の１つずつのダウンリンクサブフレームに、ＰＤＣＣＨをモニターする。
【００４８】
また、例えば、１つのスケジューリングメッセージ（初期的に送信されたＰＤＣＣＨを指示する）が「ｄｒｘ−ＩｎａｃｔｉｖｉｔｙＴｉｍｅｒ」作動期間に受信された際に、ＵＥが当該ｄｒｘ−ＩｎａｃｔｉｖｉｔｙＴｉｍｅｒを再起動させる。
【００４９】
即ち、ＵＥには初期的に送信されたデータがスケジュールされる際に、当該タイマーが起動又は再起動される。
【００５０】
注意すべきものとして、（１）ここでは、再送信ではなく、初期的送信であることを指し、即ち、再送信されるＰＤＣＣＨが当該ｄｒｘ−ＩｎａｃｔｉｖｉｔｙＴｉｍｅｒを再起動させないと指示する。（２）周期的のＳＰＳサブフレームに、送信された物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）は、初期的に送信されたものであるが、ＰＤＣＣＨ送信が伴っているわけではないため、当該ＰＤＳＣＨが当該ｄｒｘ−ＩｎａｃｔｉｖｉｔｙＴｉｍｅｒを再起動させない。（３）ｄｒｘ−ＩｎａｃｔｉｖｉｔｙＴｉｍｅｒが連続する「サブフレームの数」ではなく、連続する「ＰＤＣＣＨサブフレームの数（ダウンリンクサブフレーム）」を指定している。
【００５１】
理解すべきものとして、本発明の実施例では、第１のタイマーがｄｒｘ−ＩｎａｃｔｉｖｉｔｙＴｉｍｅｒであることは、あくまでも例示的な説明にすぎず、本発明の実施例はこれに限定せず、例えば、当該第１のタイマーが再送信タイマー（ｄｒｘ−ＲｅｔｒａｎｓｍｉｓｓｉｏｎＴｉｍｅｒ）などであってもよい。
【００５２】
以下、本発明の実施例では、端末機器は、第１のタイマーが終了するまで、当該第１の時間ユニットにある位置に基づいてＰＤＣＣＨをモニターする実施形態を説明する。
【００５３】
１つの実施例では、当該第１のタイマーの終了時点が当該第１の時間ユニット内にある場合、当該端末機器が引き続きＰＤＣＣＨをモニターする。
【００５４】
理解すべきものとして、本発明の実施例では、当該第１のタイマーの終了時点が、当該第１のタイマーのタイムアウトの時点であってもよい。これにより、当該第１のタイマーの終了時点の後続のいくつかのサブフレーム内にには、端末機器が引き続きスケジュールされても、ＵＥも持続的にアクティブ期間にあり、即ち、設定されたアクティブ期間内に、ＰＤＣＣＨを持続的にモニターし、データ送信の成功率を効率的に向上させる。
【００５５】
さらに、当該端末機器が、当該第１のタイマーの終了時点から当該第１の時間ユニットの終了時点までの間のモニターリング結果に基づいて後続の操作を行うことができる。
【００５６】
例えば、当該第１のタイマーの終了時点から当該第１の時間ユニットの終了時点までの間に、ＰＤＣＣＨをモニターしなかった場合、当該端末機器が当該ＤＲＸ  ＯＦＦ状態に入ってよい。
【００５７】
また、例えば、当該第１のタイマーの終了時点から当該第１の時間ユニットの終了時点までの間に、ＰＤＣＣＨをモニターした場合、当該端末機器が当該第１のタイマーを再起動させてよい。
【００５８】
言い換えると、当該第１のタイマーの終了時点が当該第１の時間ユニットの中間にある場合、端末が、当該第１の時間ユニットの最後１つのシンボルまで、引き続きＰＤＣＣＨをモニターする必要がある。最後１つのシンボルにも、まだＰＤＣＣＨをモニターしなかった場合、端末がＤＲＸ  ＯＦＦ状態に入る。最後１つのシンボルの前に（最後１つのシンボルを含む）ＰＤＣＣＨをモニターした場合、端末が当該第１のタイマーを再起動させる。これにより、当該第１のタイマーの終了時点の後続のいくつかのサブフレーム内に、端末機器が引き続きスケジュールされても、ＵＥも持続的にアクティブ期間にあり、即ち、設定されたアクティブ期間内に、ＰＤＣＣＨを持続的にモニターし、データ送信の成功率を効率的に向上させる。
【００５９】
選択的に、当該第１の時間ユニットの長さがネットワーク機器によって設定される。
【００６０】
選択的に、当該第１の時間ユニットは、少なくとも１つの直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを含む。例えば、当該第１の時間ユニットの大きさが、１〜３つのＯＦＤＭシンボル（ｓｙｍｂｏｌ）であってもよい。
【００６１】
理解すべきものとして、本発明の実施例では、これら少なくとも１つのＯＦＤＭシンボルのうちの１つずつのＯＦＤＭシンボルの長さに対し、具体的に限定されない。例えば、これら１つずつのＯＦＤＭシンボルの長さが、当該端末機器のサブキャリア間隔に対応してもよい。
【００６２】
選択的に、本発明の実施例では、当該第１の時間ユニットの長さが、当該端末機器の制御リソースセット（ＣＯＲＥＳＥＴ）の時間の長さである。言い換えると、当該第１の時間ユニットの長さが、制御リソースセット（ＣＯＲＥＳＥＴ）の設定期間（ｄｕｒａｔｉｏｎ）である。より具体的に、当該ＣＯＲＥＳＥＴが１つの時間帯であってもよく、当該端末機器がこの時間帯内に潜在的なＰＤＣＣＨをモニターし、即ち、ＰＤＣＣＨがある可能性もあるし、ＰＤＣＣＨがない可能性もある。
【００６３】
限定的ものではなく、例としては、当該第１の時間ユニットの単位がミリ秒（ｍｓ）であるか、又は当該単位がＯＦＤＭシンボルの数である。例えば、当該第１の時間ユニットの大きさが１ｍｓである。また、例えば、当該第１の時間ユニットの大きさが４つのＯＦＤＭシンボルなどである。
【００６４】
選択的に、当該第１の時間ユニットの開始位置がネットワーク機器によって設定される。
【００６５】
選択的に、当該第１の時間ユニットの開始位置が１つのタイムスロット内のいずれか１つのシンボルの位置であり、当該タイムスロットが７つ又は１４つのＯＦＤＭシンボルを含む。
【００６６】
理解すべきものとして、本発明の実施例では、当該タイムスロットが７つ又は１４つのＯＦＤＭシンボルを含むことはあくまでも例示的な説明にすぎず、本発明の実施例はそれを限定しない。例えば、当該タイムスロットが２１つのＯＦＤＭシンボルなどを含んでもよい。
【００６７】
図４は、本発明の実施例に係る端末機器の概略ブロック図である。
【００６８】
具体的に言うと、図４に示すように、当該端末機器３００は、
物理ダウンリンク制御チャネルＰＤＣＣＨをモニターした際に、第１のタイマーを起動又は再起動させるための起動ユニット３１０と、
第１の時間ユニットでの当該第１のタイマーの終了時点の位置に基づいて、当該端末機器が断続的な受信ＤＲＸ  ＯＦＦ（オフ）状態に入るか、又は引き続きＰＤＣＣＨをモニターするかを決定するための処理ユニット３２０とを含み、そのうち、当該第１の時間ユニットが、当該端末機器のＰＤＣＣＨをモニターするための時間帯であり、当該ＤＲＸ  ＯＦＦ状態が、当該端末機器のＰＤＣＣＨをモニターしない状態を指す。
【００６９】
選択的に、当該処理ユニット３２０はさらに、
当該第１のタイマーの終了時点が当該第１の時間ユニット内にある際に、引き続きＰＤＣＣＨをモニターするためのものである。
【００７０】
選択的に、当該処理ユニット３２０はさらに、
当該第１のタイマーの終了時点から当該第１の時間ユニットの終了時点までの間に、ＰＤＣＣＨをモニターしなかった場合、当該ＤＲＸ  ＯＦＦ状態に入るためのものである。
【００７１】
選択的に、上記起動ユニット３１０はさらに、
当該第１のタイマーの終了時点から当該第１の時間ユニットの終了時点までの間に、ＰＤＣＣＨをモニターした場合、当該端末機器が当該第１のタイマーを再起動させるためのものである。
【００７２】
選択的に、当該第１の時間ユニットの長さがネットワーク機器によって設定される。
【００７３】
選択的に、当該第１の時間ユニットが少なくとも１つの直交周波数分割多重ＯＦＤＭシンボルを含む。
【００７４】
選択的に、当該第１の時間ユニットの長さが当該端末機器の制御リソースセットの時間の長さである。
【００７５】
選択的に、当該第１の時間ユニットの単位がミリ秒であるか、又は当該単位がＯＦＤＭシンボルの数である。
【００７６】
選択的に、当該第１の時間ユニットの開始位置がネットワーク機器によって設定される。
【００７７】
選択的に、当該第１の時間ユニットの開始位置が１つのタイムスロット内のいずれか１つのシンボルの位置であり、当該タイムスロットが７つ又は１４つの直交周波数分割多重ＯＦＤＭシンボルを含む。
【００７８】
注意すべきものとして、上記起動ユニット３１０と処理ユニット３２０がプロセッサによって実現されてもよい。図５に示すように、端末機器４００は、プロセッサ４１０、トランシーバー４２０及びメモリ４３０を含んでもよい。そのうち、メモリ４３０が情報を記憶するためのものであってもよいし、プロセッサ４１０によって実行されるコード、命令などを記憶するためのものであってもよい。端末機器４００における各コンポーネントはバスシステムを介して接続され、そのうち、バスシステムが、データバスのほかには、電源バス、制御バス及びステータス信号バスをさらに含む。
【００７９】
図５に示すような端末機器４００は、前述図２の方法の実施例における端末機器によって実施される各過程を実施することができ、繰り返しを避けるため、ここでは説明を省略する。
【００８０】
理解すべきものとして、本発明の実施例における方法の実施例は、プロセッサに適用されるか、又はプロセッサによって実現されることができる。
【００８１】
実現過程において、本発明の実施例における方法の実施例の各ステップは、プロセッサにおけるハードウェアの集積ロジック回路、又はソフトウェア形の命令によって完了されることができる。より具体的には、本発明の実施例と組み合わせて開示される方法のステップは、ハードウェアデコードプロセッサによる実行完了、又はデコードプロセッサにおけるハードウェアとソフトウェアモジュールの組み合わせによる実行完了と直接具体化されることができる。ソフトウェアモジュールが、ランダムアクセスメモリ、フラッシュメモリ、読み取り専用メモリ、プログラマブル読み取り専用メモリ、又は電気的消去可能プログラマブルメモリ、及びレジスタなどの本分野における成熟した記憶媒体にあってよい。当該記憶媒体がメモリにあり、プロセッサがメモリ内の情報を読み取り、そのハードウェアを組み合わせて上記方法のステップを完了させる。
【００８２】
そのうち、プロセッサが、信号の処理能力を持つ集積回路チップである可能性があり、本発明の実施例における開示される各方法、ステップ及びロジックブロック図を実施し、又は実行することができる。例えば、上記のプロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又はこのほかのプログラマブルロジック装置、トランジスタロジック装置、個別のハードウェアコンポーネントなどであってもよい。なお、汎用プロセッサが、マイクロプロセッサであってもよく、又は、当該プロセッサが、任意の従来のプロセッサなどであってもよい。
【００８３】
なお、本発明の実施例では、メモリは揮発性又は不揮発性メモリであってもよいし、又は揮発性と不揮発性メモリの両者を含んでもよい。そのうち、不揮発性メモリが読み取り専用メモリ（ｒｅａｄ−ｏｎｌｙ  ｍｅｍｏｒｙ、ＲＯＭ）、プログラマブル読み取り専用メモリ（ｐｒｏｇｒａｍｍａｂｌｅ  ＲＯＭ、ＰＲＯＭ）、消去可能プログラマブル読み取り専用メモリ（ｅｒａｓａｂｌｅ  ＰＲＯＭ、ＥＰＲＯＭ）、電気的消去可能プログラマブル読み取り専用メモリ（ｅｌｅｃｔｒｉｃａｌｌｙ  ＥＰＲＯＭ、ＥＥＰＲＯＭ）、又はフラッシュメモリであってもよい。揮発性メモリがランダムアクセスメモリ（ｒａｎｄｏｍ  ａｃｃｅｓｓ  ｍｅｍｏｒｙ、ＲＡＭ）であってもよく、外部キャッシュとして使用される。理解すべきものとして、上記メモリは限定的説明ではなく、例示的なものであり、例えば、本発明の実施例におけるメモリはさらに、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、強化された同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ（登録商標））などであってもよい。つまり、本明細書で説明されるシステム及び方法のメモリは、これら並びに任意の他の適切なタイプのメモリを含むことを意図しているが、これらに限定されない。
【００８４】
最後に注意すべきものとして、本発明の実施例と添付の特許請求の範囲で使用される用語は、単に特定の実施例を説明するためのものであり、本発明の実施例を限定するものではない。
【００８５】
例えば、本発明の実施例及び添付の特許請求の範囲で使用される単数形「１種」、「前記」、及び「当該」は、文脈がそうでないことを明確に示さない限り、複数形も含むことを意図している。
【００８６】
また、例えば、文脈に応じ、本明細書で使用される「際に」という語彙は、「場合」又は「と」又は「時」又は「決定に応答する」又は「検出に応答する」と解釈できる。同様に、文脈に応じ、「決定する場合」又は「検出する場合（述べられた条件又はイベント）」というフレーズは、「決定された場合」又は「決定に応答する」又は「検出された場合（述べられた条件又はイベント）」又は「検出に応答する（述べられた条件又はイベント）」と解釈できる。
【００８７】
当業者は、本明細書で開示される実施例と組み合わせて説明される各例のユニット及びアルゴリズムステップが、電子ハードウェア、又はコンピュータソフトウェア及び電子ハードウェアの組み合わせによって実現されることができることを理解することができる。これらの機能がハードウェアで実行されるか、ソフトウェアで実行されるかは、技術的解決手段の特定のアプリケーションと設計上の制約条件に依存する。専門の技術者は、特定のアプリケーションごとに説明された機能を実施させるために異なる方法を使用できるが、この種の実現は、本発明の実施例の範囲を超えると見なされるべきではない。
【００８８】
当業者は、説明の便宜と簡潔のために、上記説明されるシステム、装置、及びユニットの具体的な作業プロセスは、前述方法の実施例における対応するプロセスを参照することができると明確に理解することができ、ここでは説明を省略する。
【００８９】
本願で提供されるいくつかの実施例では、開示されたシステム、装置、及び方法は、他の方式で実施されることができると理解すべきである。例えば、上記説明される装置の実施例は概略的なものにすぎず、例えば、前記ユニットの分割は論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した互いの結合又は直接的な結合又は通信接続は、いくつかのインタフェース、装置又はユニットを介した間接的結合又は通信接続であってもよく、電気的形態、機械的形態又はその他の形態であってもよい。
【００９０】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。必要に応じて、一部のユニットだけを用いるか、又はすべてのユニットを選択して本発明の実施例の目的を達成することができる。
【００９１】
また、本発明の実施例における各機能ユニットが１つの処理ユニットに集積されてもよいが、各ユニットが単独で物理的な部品として存在するか、又は２つ以上のユニットが１つのユニットに集積されてもよい。
【００９２】
ソフトウェア機能ユニットの形で実施され、独立した製品として販売または使用される場合、１つのコンピューター読み取り可能な記憶媒体に記憶されることができる。このような理解に基づいて、本発明の実施例の技術的解決手段は、本質的に、従来の技術に寄与する部分であるか、当該技術的解決手段の一部が、ソフトウェア製品の形で具現化されることができ、当該コンピュータソフトウェア製品は、１つの記憶媒体に記憶され、コンピューターデバイス（パーソナルコンピューター、サーバー、又はネットワークデバイスなどであってもよい）に、本発明の実施例で説明した方法のステップのすべて又は一部を実行させるためのいくつかの命令を含む。前述の記憶媒体は、Ｕディスク、モバイルハードディスク、読み取り専用メモリ、ランダムアクセスメモリ、磁気ディスク、又はコンパクトディスクなどのプログラムコードを記憶できるさまざまな媒体を含む。
【００９３】
以上の内容は、本発明の実施例の具体的実施形態にすぎず、本発明の実施例の保護範囲はこれらに限定されず、当業者であれば、本発明の実施例で開示される技術的範囲内に、容易に想像しうるすべての変更又は置換は、いずれも本発明の実施例の保護範囲内に含まれるべきである。したがって、本発明の実施例の保護範囲を、特許請求の範囲の保護範囲に従うものとする。
【図１】
2021510014.tif 000003
【図２】
2021510014.tif 000004
【図３】
2021510014.tif 000005
【図４】
2021510014.tif 000006
【図５】
2021510014.tif 000007
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
物理ダウンリンク制御チャネルＰＤＣＣＨをモニターするための方法であって、
端末機器がＰＤＣＣＨをモニターした際に、第１のタイマーを起動又は再起動させるステップと、
前記端末機器は、第１の時間ユニットでの前記第１のタイマーの終了時点の位置に基づいて、前記端末機器が、断続的な受信ＤＲＸ  ＯＦＦ状態に入るか、又は引き続きＰＤＣＣＨをモニターするかを決定するステップとを含み、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指すことを特徴とするＰＤＣＣＨをモニターするための方法。
【請求項２】
前記端末機器は、第１の時間ユニットでの前記第１のタイマーの終了時点の位置に基づいて、前記端末機器が、断続的な受信ＤＲＸ  ＯＦＦ状態に入るか、又は引き続きＰＤＣＣＨをモニターするかを決定するステップは、
前記第１のタイマーの終了時点が前記第１の時間ユニット内にある場合、前記端末機器が引き続きＰＤＣＣＨをモニターするステップを含むことを特徴とする請求項１に記載の方法。
【請求項３】
前記方法はさらに、
前記第１のタイマーの終了時点から前記第１の時間ユニットの終了時点までの間に、ＰＤＣＣＨをモニターしなかった場合、前記端末機器が前記ＤＲＸ  ＯＦＦ状態に入るステップを含み、または
前記方法はさらに、
前記第１のタイマーの終了時点から前記第１の時間ユニットの前記終了時点までの間に、ＰＤＣＣＨをモニターした場合、前記端末機器が前記第１のタイマーを再起動させるステップを含むことを特徴とする請求項２に記載の方法。
【請求項４】
前記第１の時間ユニットの長さがネットワーク機器によって設定される、または
前記第１の時間ユニットの前記長さが前記端末機器の制御リソースセットの時間の長さであることを特徴とする請求項１〜請求項３のいずれか１項に記載の方法。
【請求項５】
前記第１の時間ユニットが少なくとも１つの直交周波数分割多重ＯＦＤＭシンボルを含むことを特徴とする請求項１〜請求項４のいずれか１項に記載の方法。
【請求項６】
前記第１の時間ユニットの単位がミリ秒であるか、又は前記単位がＯＦＤＭシンボルの数であることを特徴とする請求項１〜請求項５のいずれか１項に記載の方法。
【請求項７】
前記第１の時間ユニットの開始位置がネットワーク機器によって設定される、または
前記第１の時間ユニットの前記開始位置が１つのタイムスロット内のいずれか１つのシンボルの位置であり、前記タイムスロットが７つ又は１４つの直交周波数分割多重ＯＦＤＭシンボルを含むことを特徴とする請求項１〜請求項６のいずれか１項に記載の方法。
【請求項８】
端末機器であって、
物理ダウンリンク制御チャネルＰＤＣＣＨをモニターした際に、第１のタイマーを起動又は再起動させるための起動ユニットと、
第１の時間ユニットでの前記第１のタイマーの終了時点の位置に基づいて、前記端末機器が、断続的な受信ＤＲＸ  ＯＦＦ状態に入るか、又は、引き続きＰＤＣＣＨをモニターするかを決定するための処理ユニットと、を含み、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指すことを特徴とする端末機器。
【請求項９】
前記処理ユニットはさらに、
前記第１のタイマーの終了時点が前記第１の時間ユニット内にある際に、引き続きＰＤＣＣＨをモニターするためのものであることを特徴とする請求項８に記載の端末機器。
【請求項１０】
前記処理ユニットはさらに、
前記第１のタイマーの終了時点から前記第１の時間ユニットの終了時点までの間に、ＰＤＣＣＨをモニターしなかった場合、前記ＤＲＸ  ＯＦＦ状態に入るためのものである、または
前記起動ユニットはさらに、
前記第１のタイマーの終了時点から前記第１の時間ユニットの前記終了時点までの間に、ＰＤＣＣＨをモニターした場合、前記第１のタイマーを再起動させるためのものであることを特徴とする請求項９に記載の端末機器。
【請求項１１】
前記第１の時間ユニットの長さがネットワーク機器によって設定されることを特徴とする請求項８〜請求項１０のいずれか１項に記載の端末機器。
【請求項１２】
前記第１の時間ユニットが少なくとも１つの直交周波数分割多重ＯＦＤＭシンボルを含むことを特徴とする請求項８〜請求項１１のいずれか１項に記載の端末機器。
【請求項１３】
前記第１の時間ユニットの長さが前記端末機器の制御リソースセットの時間の長さであることを特徴とする請求項８〜請求項１１のいずれか１項に記載の端末機器。
【請求項１４】
前記第１の時間ユニットの単位がミリ秒であるか、又は前記単位がＯＦＤＭシンボルの数であることを特徴とする請求項８〜請求項１３のいずれか１項に記載の端末機器。
【請求項１５】
前記第１の時間ユニットの開始位置がネットワーク機器によって設定される、または
前記第１の時間ユニットの前記開始位置が１つのタイムスロット内のいずれか１つのシンボルの位置であり、前記タイムスロットが７つ又は１４つの直交周波数分割多重ＯＦＤＭシンボルを含むことを特徴とする請求項８〜請求項１４のいずれか１項に記載の端末機器。
【手続補正２】
【補正対象書類名】明細書
【補正対象項目名】全文
【補正方法】変更
【補正の内容】
【発明の詳細な説明】
【技術分野】
【０００１】
本開示の実施例は、通信の分野に関し、特にＰＤＣＣＨをモニターするための方法及び端末機器に関する。
【背景技術】
【０００２】
従来の技術において、パケットベースのデータフローは、一般的に、バースト性がある。言い換えると、端末機器では、一定の時間内にデータ送信が発生するが、続いている一定の長時間内にデータ送信が発生しない。これにより、端末機器による物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）に対するブラインド検査が絶えずに継続すると、端末機器に過剰な消費電力がかかってしまう。
【０００３】
上記問題を解決するために、ロングタームエボリューション（Ｌｏｎｇ  Ｔｅｒｍ  Ｅｖｏｌｕｔｉｏｎ、ＬＴＥ（登録商標））に断続的な受信（Ｄｉｓｃｏｎｔｉｎｕｏｕｓ  Ｒｅｃｅｐｔｉｏｎ、ＤＲＸ）というコンセプトを提案した。具体的には、端末機器でのデータ送信が発生しない際に、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）（この際、ＰＤＣＣＨに対するブラインド検査が停止される）の受信を停止することで、消費電力を低減し、これによってバッテリーの使用時間を高めることができる。
【０００４】
より具体的には、ネットワーク機器は、無線リソース制御接続（Ｒａｄｉｏ  Ｒｅｓｏｕｒｃｅ  Ｃｏｎｔｒｏｌ＿ＣＯＮＮＥＣＴＥＤ、ＲＲＣ＿ＣＯＮＮＥＣＴＥＤ）の状態にある端末機器に１つのＤＲＸ  サイクル（ｃｙｃｌｅ）を設定する。
【０００５】
そのうち、ＤＲＸ  ｃｙｃｌｅが、アクティブ期間（Ｏｎ  Ｄｕｒａｔｉｏｎ）と休眠期間（Ｏｐｐｏｒｔｕｎｉｔｙ  ｆｏｒ  ＤＲＸ）からなり、Ｏｎ  Ｄｕｒａｔｉｏｎ時間内に、端末機器がＰＤＣＣＨをモニターして受信する。Ｏｐｐｏｒｔｕｎｉｔｙ  ｆｏｒ  ＤＲＸ時間内に、消費電力を減少するために、端末機器がＰＤＣＣＨを受信しない。
【０００６】
しかしながら、ニューラジオ（Ｎｅｗ  Ｒａｄｉｏ、ＮＲ）では、ＰＤＣＣＨが異なるサイクルとＯｎ  Ｄｕｒａｔｉｏｎをサポートすることができる。同時に、ＤＲＸ無活動タイマー（ｄｒｘ−ＩｎａｃｔｉｖｉｔｙＴｉｍｅｒ）の位置も柔軟である。ｄｒｘ−ＩｎａｃｔｉｖｉｔｙＴｉｍｅｒの失効した時点がとあるＰＤＣＣＨモニターリング場合（ｍｏｎｉｔｏｒｉｎｇ  ｏｃｃａｓｉｏｎ）の中間にある場合、当該ＰＤＣＣＨに対するモニターリングがｄｒｘ−ＩｎａｃｔｉｖｉｔｙＴｉｍｅｒの失効によって中止され、後続のデータの受信に支障が生じ、さらに、データ送信の成功率を低下させる。
【発明の概要】
【発明が解決しようとする課題】
【０００７】
データ送信の成功率を効率的に向上させる可能なＰＤＣＣＨをモニターするための方法及び端末機器を提供する。
【課題を解決するための手段】
【０００８】
第１の態様では、ＰＤＣＣＨをモニターするための方法を提供し、
端末機器が物理ダウンリンク制御チャネルＰＤＣＣＨをモニターした際に、第１のタイマーを起動又は再起動させるステップと、前記端末機器は、第１の時間ユニットでの前記第１のタイマーの終了時点の位置に基づいて、前記端末機器が、断続的な受信ＤＲＸオフＯＦＦ状態に入るか、又は引き続きＰＤＣＣＨをモニターするかを決定するステップとを含み、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指す。
【０００９】
本開示の実施例の方法により、当該第１のタイマーの終了時点に続く一定の時間内に、端末機器が引き続きスケジュールされても、当該端末機器も持続的にアクティブ期間にあり、即ち、設定されたアクティブ期間内にＰＤＣＣＨを持続的にモニターし、データ送信の成功率を効率的に向上させる。
【００１０】
いくつかの可能な実施形態では、前記端末機器は、第１の時間ユニットでの前記第１のタイマーの終了時点の位置に基づいて、前記端末機器が、断続的な受信ＤＲＸオフＯＦＦ状態に入るか、又は、引き続きＰＤＣＣＨをモニターするかを決定するステップは、
前記第１のタイマーの終了時点が前記第１の時間ユニット内にある場合、前記端末機器が引き続きＰＤＣＣＨをモニターするステップを含む。
【００１１】
いくつかの可能な実施形態では、前記方法は、さらに、
前記第１のタイマーの終了時点から前記第１の時間ユニットの終了時点までの間に、ＰＤＣＣＨをモニターしなかった場合、前記端末機器が前記ＤＲＸ  ＯＦＦ状態に入るステップを含む。
【００１２】
いくつかの可能な実施形態では、前記方法はさらに、
前記第１のタイマーの終了時点から前記第１の時間ユニットの終了時点までの間に、ＰＤＣＣＨをモニターした場合、前記端末機器が前記第１のタイマーを再起動させるステップを含む。
【００１３】
いくつかの可能な実施形態では、前記第１の時間ユニットの長さがネットワーク機器によって設定される。
【００１４】
いくつかの可能な実施形態では、前記第１の時間ユニットが少なくとも１つの直交周波数分割多重ＯＦＤＭシンボルを含む。
【００１５】
いくつかの可能な実施形態では、前記第１の時間ユニットの長さが前記端末機器の制御リソースセットの時間の長さである。
【００１６】
いくつかの可能な実施形態では、前記第１の時間ユニットの単位がミリ秒であり、又は前記単位がＯＦＤＭシンボルの数である。
【００１７】
いくつかの可能な実施形態では、前記第１の時間ユニットの開始位置がネットワーク機器によって設定される。
【００１８】
いくつかの可能な実施形態では、前記第１の時間ユニットの開始位置が１つのタイムスロット内のいずれか１つのシンボルの位置であり、前記タイムスロットが７つ又は１４つの直交周波数分割多重ＯＦＤＭシンボルを含む。
【００１９】
第２の態様では、端末機器を提供し、前記端末機器は、
物理ダウンリンク制御チャネルＰＤＣＣＨをモニターした際に、第１のタイマーを起動又は再起動させるための起動ユニットと、第１の時間ユニットでの前記第１のタイマーの終了時点の位置に基づいて、前記端末機器が、断続的な受信ＤＲＸオフＯＦＦ状態に入るか、又は、引き続きＰＤＣＣＨをモニターするかを決定するための処理ユニットとを含み、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指す。
【００２０】
第３の態様では、プロセッサを含む端末機器を提供し、前記プロセッサは、
物理ダウンリンク制御チャネルＰＤＣＣＨをモニターした際に、第１のタイマーを起動又は再起動させること、及び第１の時間ユニットでの前記第１のタイマーの終了時点の位置に基づいて、前記端末機器が、断続的な受信ＤＲＸオフＯＦＦ状態に入るか、又は、引き続きＰＤＣＣＨをモニターするかを決定することに用いられ、そのうち、前記第１の時間ユニットが、前記端末機器のＰＤＣＣＨをモニターするための時間帯であり、前記ＤＲＸ  ＯＦＦ状態が、前記端末機器のＰＤＣＣＨをモニターしない状態を指す。
【００２１】
第４の態様では、上記第１の態様の方法の実施例を実行するための命令を含むコンピュータープログラムを記憶するためのコンピューター読み取り可能な媒体を提供する。
【００２２】
第５の態様では、コンピューターチップを提供し、前記コンピューターチップは入力インタフェース、出力インタフェース、少なくとも１つのプロセッサ、及びメモリを含み、前記プロセッサが前記メモリ内のコードを実行するためのものであり、前記コードが実行される際に、前記プロセッサが上記の第１の態様におけるＰＤＣＣＨをモニターするための方法における端末機器によって実行されるさまざまな過程を実施することができる。
【００２３】
第６の態様では、前述した前記端末機器とネットワーク機器を含む通信システムを提供する。
【図面の簡単な説明】
【００２４】
【図１】本開示に係る応用シーンの例である。
【図２】本開示の実施例に係るＰＤＣＣＨをモニターするための方法の概略フローチャートである。
【図３】本開示の実施例に係るＤＲＸの概略図である。
【図４】本開示の実施例に係る端末機器の概略ブロック図である。
【図５】本開示の実施例に係るもう１つの端末機器の概略ブロック図である。
【発明を実施するための形態】
【００２５】
図１は、本開示の実施例に係る応用シーンの概略図である。
【００２６】
図１に示すように、通信システム１００は、端末機器１１０とネットワーク機器１２０を含んでよい。ネットワーク機器１２０がラジオによって端末機器１１０に通信することができる。端末機器１１０とネットワーク機器１２０の間では、マルチサービス伝送をサポートする。
【００２７】
しかしながら、パケットベースのデータフローは、一般的に、バースト性がある。言い換えると、端末機器１１０では、一定の時間内にデータ送信が発生するが、続いている一定の長時間内にデータ送信が発生しない。これにより、端末機器１１０による物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）に対するブラインド検査が絶えずに継続すると、端末機器に過剰な消費電力がかかってしまう。
【００２８】
ロングタームエボリューション（Ｌｏｎｇ  Ｔｅｒｍ  Ｅｖｏｌｕｔｉｏｎ、ＬＴＥ）に断続的な受信（Ｄｉｓｃｏｎｔｉｎｕｏｕｓ  Ｒｅｃｅｐｔｉｏｎ、ＤＲＸ）というコンセプトを提案したが、具体的に、ＤＲＸの主な考えは、ネットワークは、端末がネットワークによって予測される時点にスタートする（ＤＲＸ  ＯＮ）ように構成されることができ、即ち、無線周波数ＲＦがオンにし、端末がダウンリンク制御チャネルをモニターするとともに、ネットワークは、端末がネットワークによって予測される時点にスリープする（ＤＲＸ  ＯＦＦ）ように構成されることもでき、即ち、無線周波数ＲＦがオフにし、端末がダウンリンク制御チャネルをモニターしないことである。このように、端末に送信すべきデータがある場合、ネットワークによる端末ＤＲＸ  ＯＮの時間内の端末のスケジューリングが可能であるのに対して、ＤＲＣ  ＯＦＦ時間内に、無線周波数がオフにするため、端末の電気消費を減少することができる。
【００２９】
しかしながら、ニューラジオ（Ｎｅｗ  Ｒａｄｉｏ、ＮＲ）では、ＰＤＣＣＨが異なるサイクルとＯｎ  Ｄｕｒａｔｉｏｎをサポートすることができる。また、ＤＲＸ無活動タイマー（ｄｒｘ−ＩｎａｃｔｉｖｉｔｙＴｉｍｅｒ）の位置も柔軟である。
【００３０】
ｄｒｘ−ＩｎａｃｔｉｖｉｔｙＴｉｍｅｒの失効した時点がとあるＰＤＣＣＨモニターリング場合（ｍｏｎｉｔｏｒｉｎｇ  ｏｃｃａｓｉｏｎ）の中間にある場合、当該ＰＤＣＣＨに対するモニターリングがｄｒｘ−ＩｎａｃｔｉｖｉｔｙＴｉｍｅｒの失効によって中止され、後続のデータの受信に支障が生じ、さらに、データ送信の成功率を低下させることがわかる。
【００３１】
例えば、従来のＰＤＣＣＨモニターリング（ｍｏｎｉｔｏｒｉｎｇ）では、ＰＤＣＣＨのＯｎ  Ｄｕｒａｔｉｏｎが隣接する２つのタイムスロット（ｓｌｏｔ）を跨り、その結果、ｄｒｘ−ＩｎａｃｔｉｖｅＴｉｍｅｒが正確に操作できなくなる場合もある。
【００３２】
よって、本開示の実施例では、ＰＤＣＣＨをモニターするための方法を提供し、ｄｒｘ−ＩｎａｃｔｉｖｉｔｙＴｉｍｅｒとｍｏｎｉｔｏｒｉｎｇ  ｏｃｃａｓｉｏｎとの位置関係を分析し、端末機器によるＰＤＣＣＨモニターリングのプロセスを完備させることにより、データ送信の成功率を効率的に向上させることができる。
【００３３】
本開示の実施例は、通信システム１００のみをもって例示的に説明をしたが、本開示の実施例はこれらに限定されないと理解すべきである。つまり、本開示の実施例の技術的解決手段が、種々の通信システム、例えば、グローバルモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、コード分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ時分割デュプレックス（Ｔｉｍｅ  Ｄｉｖｉｓｉｏｎ  Ｄｕｐｌｅｘ、ＴＤＤ）システム、汎用モバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）などに適用されることができる。
【００３４】
なお、本開示はネットワーク機器と端末機器と組み合わせた様々な実施例を説明する。
【００３５】
そのうち、ネットワーク機器１２０が、信号を送信又は受信するためのネットワーク側のいずれか１種のエンティティを指してよい。例えば、マシンタイプコミュニケーション（ＭＴＣ）のユーザ機器、ＧＳＭ又はＣＤＭＡでの基地局（Ｂａｓｅ  Ｔｒａｎｓｃｅｉｖｅｒ  Ｓｔａｔｉｏｎ、ＢＴＳ）、ＷＣＤＭＡでの基地局（ＮｏｄｅＢ）、ＬＴＥでの進化型基地局（Ｅｖｏｌｕｔｉｏｎａｌ  Ｎｏｄｅ  Ｂ、ｅＮＢ又はｅＮｏｄｅＢ）、５Ｇネットワークでの基地局機器などであってもよい。
【００３６】
端末機器１１０が任意の端末機器であってもよい。具体的に、端末機器１１０が無線アクセスネットワーク（Ｒａｄｉｏ  Ａｃｃｅｓｓ  Ｎｅｔｗｏｒｋ、ＲＡＮ）によって１つ又は複数のコアネットワーク（Ｃｏｒｅ  Ｎｅｔｗｏｒｋ）に通信することができ、アクセス端末、ユーザ機器（Ｕｓｅｒ  Ｅｑｕｉｐｍｅｎｔ、ＵＥ）、ユーザユニット、ユーザステーション、モバイルステーション、モバイル局、リモートステーション、リモート端末、モバイル機器、ユーザ端末、端末、無線通信機器、ユーザエージェント又はユーザ装置と呼ばれてもよい。例えば、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルプロセッシング（Ｐｅｒｓｏｎａｌ  Ｄｉｇｉｔａｌ  Ａｓｓｉｓｔａｎｔ、ＰＤＡ）、ワイヤレス通信機能付きのハンドヘルド機器、コンピューティング機器又はワイヤレスモデムに接続されたほかのプロセッシング機器、車載機器、ウェアラブル機器及び５Ｇネットワークでの端末機器などであってもよい。
【００３７】
図２は、本開示の実施例に係るＰＤＣＣＨをモニターするための方法の概略フローチャートである。
【００３８】
具体的に、図２に示すように、当該方法は、
端末機器が、ＰＤＣＣＨをモニターした場合、第１のタイマーを起動又は再起動させるステップ２１０と、
当該端末機器が、第１の時間ユニットでの当該第１のタイマーの終了時点の位置に基づいて、当該端末機器がＤＲＸオフＯＦＦ状態に入るか、又は引き続きＰＤＣＣＨをモニターするかを決定するステップ２２０と、を含む。
【００３９】
具体的に、ほとんどの場合には、とあるサブフレームに、端末機器がデータを受信又は送信するようにスケジュールされた後、後続のいくつかのサブフレームの内、引き続きスケジュールされる可能性が大きく、これらのデータを次のＤＲＸ  サイクル（ｃｙｃｌｅ）まで受信又は送信すると、追加の遅延が生じる。この種の遅延を低減するために、ＵＥがスケジュールされた後、持続的にアクティブ期間にあり、即ち、設定されたアクティブ期間内に、持続的に物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）をモニターすることになる。
【００４０】
理解すべきものとして、本開示の実施例における当該第１の時間ユニットが当該端末機器のＰＤＣＣＨをモニターするための時間帯であり、当該ＤＲＸ  ＯＦＦ状態が、当該端末機器のＰＤＣＣＨをモニターしない状態を指す。
【００４１】
注意すべきものとして、本開示の実施例における当該ＤＲＸ  ＯＦＦ状態は、当該端末機器が休眠期間にある状態を指す。
【００４２】
より具体的には、メディアアクセス制御（Ｍｅｄｉａ  Ａｃｃｅｓｓ  Ｃｏｎｔｒｏｌ、ＭＡＣ）エンティティ（ｅｎｔｉｔｙ）は、無線リソース制御（Ｒａｄｉｏ  Ｒｅｓｏｕｒｃｅ  Ｃｏｎｔｒｏｌ、ＲＲＣ）によってＤＲＸ機能を設定し、端末がＰＤＣＣＨをモニターする行為を制御するためのものである。
【００４３】
例えば、図３に示すように、ネットワーク機器が端末機器のために設定したＤＲＸ  ｃｙｃｌｅはアクティブ期間（Ｏｎ  Ｄｕｒａｔｉｏｎ）と休眠期間（Ｏｐｐｏｒｔｕｎｉｔｙ  ｆｏｒ  ＤＲＸ）からなり、ＲＲＣ接続状態（ＲＲＣ  ＣＯＮＮＥＣＴＥＤ）のモードの下、端末にＤＲＸ機能が設定されると、Ｏｎ  Ｄｕｒａｔｉｏｎ時間内にある場合、端末機器がＰＤＣＣＨをモニターして受信する。Ｏｐｐｏｒｔｕｎｉｔｙ  ｆｏｒ  ＤＲＸ時間内にある場合、端末機器が、消費電力を減少するために、ＰＤＣＣＨを受信しない。
【００４４】
本開示の実施例では、休眠期間にある端末機器が、ＰＤＣＣＨのみを受信しないが、ほかの物理チャネルからのデータを受信することができる。本開示の実施例はこれを限定せず、例えば、当該端末機器が、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、確認／未確認（ＡＣＫ／ＮＡＣＫ）などを受信することができる。また、例えば、半永続的スケジューリング（Ｓｅｍｉ−Ｐｅｒｓｉｓｔｅｎｔ  Ｓｃｈｅｄｕｌｉｎｇ、ＳＰＳ）では、当該端末機器が、周期的に設定されたＰＤＳＣＨデータを受信することができる。
【００４５】
本開示の実施例では、１種の実施メカニズムは、当該第１のタイマーが非アクティブタイマー（ｄｒｘ−ＩｎａｃｔｉｖｉｔｙＴｉｍｅｒ）である。
【００４６】
具体的には、当該端末機器が初期的にデータを送信するためにスケジュールされる際に、１つのｄｒｘ−ＩｎａｃｔｉｖｉｔｙＴｉｍｅｒを起動（又は再起動）させ、ＵＥが当該ｄｒｘ−ＩｎａｃｔｉｖｉｔｙＴｉｍｅｒがタイムアウトになるまで継続的にアクティブ状態にある。ｄｒｘ−ＩｎａｃｔｉｖｉｔｙＴｉｍｅｒは、ＵＥが初期的に送信されたＵＬ又はＤＬユーザデータを指示する１つのＰＤＣＣＨをデコードすることに成功した後、持続的にアクティブ状態にある「連続ＰＤＣＣＨサブフレームの数」を指定する。
【００４７】
例えば、ＵＥがアクティブ期間（Ｏｎ  Ｄｕｒａｔｉｏｎ）中に１つのスケジューリングメッセージ（初期的に送信されたＰＤＣＣＨを指示する）を受信した際に、ＵＥが１つの「ｄｒｘ−ＩｎａｃｔｉｖｉｔｙＴｉｍｅｒ」を起動して、当該ｄｒｘ−ＩｎａｃｔｉｖｉｔｙＴｉｍｅｒの作動期間の１つずつのダウンリンクサブフレームに、ＰＤＣＣＨをモニターする。
【００４８】
また、例えば、１つのスケジューリングメッセージ（初期的に送信されたＰＤＣＣＨを指示する）が「ｄｒｘ−ＩｎａｃｔｉｖｉｔｙＴｉｍｅｒ」作動期間に受信された際に、ＵＥが当該ｄｒｘ−ＩｎａｃｔｉｖｉｔｙＴｉｍｅｒを再起動させる。
【００４９】
即ち、ＵＥには初期的に送信されたデータがスケジュールされる際に、当該タイマーが起動又は再起動される。
【００５０】
注意すべきものとして、（１）ここでは、再送信ではなく、初期的送信であることを指し、即ち、再送信されるＰＤＣＣＨが当該ｄｒｘ−ＩｎａｃｔｉｖｉｔｙＴｉｍｅｒを再起動させないと指示する。（２）周期的のＳＰＳサブフレームに、送信された物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）は、初期的に送信されたものであるが、ＰＤＣＣＨ送信が伴っているわけではないため、当該ＰＤＳＣＨが当該ｄｒｘ−ＩｎａｃｔｉｖｉｔｙＴｉｍｅｒを再起動させない。（３）ｄｒｘ−ＩｎａｃｔｉｖｉｔｙＴｉｍｅｒが連続する「サブフレームの数」ではなく、連続する「ＰＤＣＣＨサブフレームの数（ダウンリンクサブフレーム）」を指定している。
【００５１】
理解すべきものとして、本開示の実施例では、第１のタイマーがｄｒｘ−ＩｎａｃｔｉｖｉｔｙＴｉｍｅｒであることは、あくまでも例示的な説明にすぎず、本開示の実施例はこれに限定せず、例えば、当該第１のタイマーが再送信タイマー（ｄｒｘ−ＲｅｔｒａｎｓｍｉｓｓｉｏｎＴｉｍｅｒ）などであってもよい。
【００５２】
以下、本開示の実施例では、端末機器は、第１のタイマーが終了するまで、当該第１の時間ユニットにある位置に基づいてＰＤＣＣＨをモニターする実施形態を説明する。
【００５３】
１つの実施例では、当該第１のタイマーの終了時点が当該第１の時間ユニット内にある場合、当該端末機器が引き続きＰＤＣＣＨをモニターする。
【００５４】
理解すべきものとして、本開示の実施例では、当該第１のタイマーの終了時点が、当該第１のタイマーのタイムアウトの時点であってもよい。これにより、当該第１のタイマーの終了時点の後続のいくつかのサブフレーム内にには、端末機器が引き続きスケジュールされても、ＵＥも持続的にアクティブ期間にあり、即ち、設定されたアクティブ期間内に、ＰＤＣＣＨを持続的にモニターし、データ送信の成功率を効率的に向上させる。
【００５５】
さらに、当該端末機器が、当該第１のタイマーの終了時点から当該第１の時間ユニットの終了時点までの間のモニターリング結果に基づいて後続の操作を行うことができる。
【００５６】
例えば、当該第１のタイマーの終了時点から当該第１の時間ユニットの終了時点までの間に、ＰＤＣＣＨをモニターしなかった場合、当該端末機器が当該ＤＲＸ  ＯＦＦ状態に入ってよい。
【００５７】
また、例えば、当該第１のタイマーの終了時点から当該第１の時間ユニットの終了時点までの間に、ＰＤＣＣＨをモニターした場合、当該端末機器が当該第１のタイマーを再起動させてよい。
【００５８】
言い換えると、当該第１のタイマーの終了時点が当該第１の時間ユニットの中間にある場合、端末が、当該第１の時間ユニットの最後１つのシンボルまで、引き続きＰＤＣＣＨをモニターする必要がある。最後１つのシンボルにも、まだＰＤＣＣＨをモニターしなかった場合、端末がＤＲＸ  ＯＦＦ状態に入る。最後１つのシンボルの前に（最後１つのシンボルを含む）ＰＤＣＣＨをモニターした場合、端末が当該第１のタイマーを再起動させる。これにより、当該第１のタイマーの終了時点の後続のいくつかのサブフレーム内に、端末機器が引き続きスケジュールされても、ＵＥも持続的にアクティブ期間にあり、即ち、設定されたアクティブ期間内に、ＰＤＣＣＨを持続的にモニターし、データ送信の成功率を効率的に向上させる。
【００５９】
一実施形態において、当該第１の時間ユニットの長さがネットワーク機器によって設定される。
【００６０】
一実施形態において、当該第１の時間ユニットは、少なくとも１つの直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを含む。例えば、当該第１の時間ユニットの大きさが、１〜３つのＯＦＤＭシンボル（ｓｙｍｂｏｌ）であってもよい。
【００６１】
理解すべきものとして、本開示の実施例では、これら少なくとも１つのＯＦＤＭシンボルのうちの１つずつのＯＦＤＭシンボルの長さに対し、具体的に限定されない。例えば、これら１つずつのＯＦＤＭシンボルの長さが、当該端末機器のサブキャリア間隔に対応してもよい。
【００６２】
本開示の実施例では、当該第１の時間ユニットの長さが、当該端末機器の制御リソースセット（ＣＯＲＥＳＥＴ）の時間の長さである。言い換えると、当該第１の時間ユニットの長さが、制御リソースセット（ＣＯＲＥＳＥＴ）の設定期間（ｄｕｒａｔｉｏｎ）である。より具体的に、当該ＣＯＲＥＳＥＴが１つの時間帯であってもよく、当該端末機器がこの時間帯内に潜在的なＰＤＣＣＨをモニターし、即ち、ＰＤＣＣＨがある可能性もあるし、ＰＤＣＣＨがない可能性もある。
【００６３】
限定的ものではなく、例としては、当該第１の時間ユニットの単位がミリ秒（ｍｓ）であるか、又は当該単位がＯＦＤＭシンボルの数である。例えば、当該第１の時間ユニットの大きさが１ｍｓである。また、例えば、当該第１の時間ユニットの大きさが４つのＯＦＤＭシンボルなどである。
【００６４】
一実施形態において、当該第１の時間ユニットの開始位置がネットワーク機器によって設定される。
【００６５】
一実施形態において、当該第１の時間ユニットの開始位置が１つのタイムスロット内のいずれか１つのシンボルの位置であり、当該タイムスロットが７つ又は１４つのＯＦＤＭシンボルを含む。
【００６６】
理解すべきものとして、本開示の実施例では、当該タイムスロットが７つ又は１４つのＯＦＤＭシンボルを含むことはあくまでも例示的な説明にすぎず、本開示の実施例はそれを限定しない。例えば、当該タイムスロットが２１つのＯＦＤＭシンボルなどを含んでもよい。
【００６７】
図４は、本開示の実施例に係る端末機器の概略ブロック図である。
【００６８】
具体的に言うと、図４に示すように、当該端末機器３００は、
物理ダウンリンク制御チャネルＰＤＣＣＨをモニターした際に、第１のタイマーを起動又は再起動させるための起動ユニット３１０と、
第１の時間ユニットでの当該第１のタイマーの終了時点の位置に基づいて、当該端末機器が断続的な受信ＤＲＸオフＯＦＦ状態に入るか、又は引き続きＰＤＣＣＨをモニターするかを決定するための処理ユニット３２０とを含み、そのうち、当該第１の時間ユニットが、当該端末機器のＰＤＣＣＨをモニターするための時間帯であり、当該ＤＲＸ  ＯＦＦ状態が、当該端末機器のＰＤＣＣＨをモニターしない状態を指す。
【００６９】
一実施形態において、当該処理ユニット３２０はさらに、
当該第１のタイマーの終了時点が当該第１の時間ユニット内にある際に、引き続きＰＤＣＣＨをモニターするためのものである。
【００７０】
一実施形態において、当該処理ユニット３２０はさらに、
当該第１のタイマーの終了時点から当該第１の時間ユニットの終了時点までの間に、ＰＤＣＣＨをモニターしなかった場合、当該ＤＲＸ  ＯＦＦ状態に入るためのものである。
【００７１】
一実施形態において、上記起動ユニット３１０はさらに、
当該第１のタイマーの終了時点から当該第１の時間ユニットの終了時点までの間に、ＰＤＣＣＨをモニターした場合、当該第１のタイマーを再起動させるためのものである。
【００７２】
一実施形態において、当該第１の時間ユニットの長さがネットワーク機器によって設定される。
【００７３】
一実施形態において、当該第１の時間ユニットが少なくとも１つの直交周波数分割多重ＯＦＤＭシンボルを含む。
【００７４】
一実施形態において、当該第１の時間ユニットの長さが当該端末機器の制御リソースセットの時間の長さである。
【００７５】
一実施形態において、当該第１の時間ユニットの単位がミリ秒であるか、又は当該単位がＯＦＤＭシンボルの数である。
【００７６】
一実施形態において、当該第１の時間ユニットの開始位置がネットワーク機器によって設定される。
【００７７】
一実施形態において、当該第１の時間ユニットの開始位置が１つのタイムスロット内のいずれか１つのシンボルの位置であり、当該タイムスロットが７つ又は１４つの直交周波数分割多重ＯＦＤＭシンボルを含む。
【００７８】
注意すべきものとして、上記起動ユニット３１０と処理ユニット３２０がプロセッサによって実現されてもよい。図５に示すように、端末機器４００は、プロセッサ４１０、トランシーバー４２０及びメモリ４３０を含んでもよい。そのうち、メモリ４３０が情報を記憶するためのものであってもよいし、プロセッサ４１０によって実行されるコード、命令などを記憶するためのものであってもよい。端末機器４００における各コンポーネントはバスシステムを介して接続され、そのうち、バスシステムが、データバスのほかには、電源バス、制御バス及びステータス信号バスをさらに含む。
【００７９】
図５に示すような端末機器４００は、前述図２の方法の実施例における端末機器によって実施される各過程を実施することができ、繰り返しを避けるため、ここでは説明を省略する。
【００８０】
理解すべきものとして、本開示の実施例における方法の実施例は、プロセッサに適用されるか、又はプロセッサによって実現されることができる。
【００８１】
実現過程において、本開示の実施例における方法の実施例の各ステップは、プロセッサにおけるハードウェアの集積ロジック回路、又はソフトウェア形の命令によって完了されることができる。より具体的には、本開示の実施例と組み合わせて開示される方法のステップは、ハードウェアデコードプロセッサによる実行完了、又はデコードプロセッサにおけるハードウェアとソフトウェアモジュールの組み合わせによる実行完了と直接具体化されることができる。ソフトウェアモジュールが、ランダムアクセスメモリ、フラッシュメモリ、読み取り専用メモリ、プログラマブル読み取り専用メモリ、又は電気的消去可能プログラマブルメモリ、及びレジスタなどの本分野における成熟した記憶媒体にあってよい。当該記憶媒体がメモリにあり、プロセッサがメモリ内の情報を読み取り、そのハードウェアを組み合わせて上記方法のステップを完了させる。
【００８２】
そのうち、プロセッサが、信号の処理能力を持つ集積回路チップである可能性があり、本開示の実施例における開示される各方法、ステップ及びロジックブロック図を実施し、又は実行することができる。例えば、上記のプロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又はこのほかのプログラマブルロジック装置、トランジスタロジック装置、個別のハードウェアコンポーネントなどであってもよい。なお、汎用プロセッサが、マイクロプロセッサであってもよく、又は、当該プロセッサが、任意の従来のプロセッサなどであってもよい。
【００８３】
なお、本開示の実施例では、メモリは揮発性又は不揮発性メモリであってもよいし、又は揮発性と不揮発性メモリの両者を含んでもよい。そのうち、不揮発性メモリが読み取り専用メモリ（ｒｅａｄ−ｏｎｌｙ  ｍｅｍｏｒｙ、ＲＯＭ）、プログラマブル読み取り専用メモリ（ｐｒｏｇｒａｍｍａｂｌｅ  ＲＯＭ、ＰＲＯＭ）、消去可能プログラマブル読み取り専用メモリ（ｅｒａｓａｂｌｅ  ＰＲＯＭ、ＥＰＲＯＭ）、電気的消去可能プログラマブル読み取り専用メモリ（ｅｌｅｃｔｒｉｃａｌｌｙ  ＥＰＲＯＭ、ＥＥＰＲＯＭ）、又はフラッシュメモリであってもよい。揮発性メモリがランダムアクセスメモリ（ｒａｎｄｏｍ  ａｃｃｅｓｓ  ｍｅｍｏｒｙ、ＲＡＭ）であってもよく、外部キャッシュとして使用される。理解すべきものとして、上記メモリは限定的説明ではなく、例示的なものであり、例えば、本開示の実施例におけるメモリはさらに、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、強化された同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ（登録商標））などであってもよい。つまり、本明細書で説明されるシステム及び方法のメモリは、これら並びに任意の他の適切なタイプのメモリを含むことを意図しているが、これらに限定されない。
【００８４】
最後に注意すべきものとして、本開示の実施例と添付の特許請求の範囲で使用される用語は、単に特定の実施例を説明するためのものであり、本開示の実施例を限定するものではない。
【００８５】
例えば、本開示の実施例及び添付の特許請求の範囲で使用される単数形「１種」、「前記」、及び「当該」は、文脈がそうでないことを明確に示さない限り、複数形も含むことを意図している。
【００８６】
また、例えば、文脈に応じ、本明細書で使用される「際に」という語彙は、「場合」又は「と」又は「時」又は「決定に応答する」又は「検出に応答する」と解釈できる。同様に、文脈に応じ、「決定する場合」又は「検出する場合（述べられた条件又はイベント）」というフレーズは、「決定された場合」又は「決定に応答する」又は「検出された場合（述べられた条件又はイベント）」又は「検出に応答する（述べられた条件又はイベント）」と解釈できる。
【００８７】
当業者は、本明細書で開示される実施例と組み合わせて説明される各例のユニット及びアルゴリズムステップが、電子ハードウェア、又はコンピュータソフトウェア及び電子ハードウェアの組み合わせによって実現されることができることを理解することができる。これらの機能がハードウェアで実行されるか、ソフトウェアで実行されるかは、技術的解決手段の特定のアプリケーションと設計上の制約条件に依存する。専門の技術者は、特定のアプリケーションごとに説明された機能を実施させるために異なる方法を使用できるが、この種の実現は、本開示の実施例の範囲を超えると見なされるべきではない。
【００８８】
当業者は、説明の便宜と簡潔のために、上記説明されるシステム、装置、及びユニットの具体的な作業プロセスは、前述方法の実施例における対応するプロセスを参照することができると明確に理解することができ、ここでは説明を省略する。
【００８９】
本願で提供されるいくつかの実施例では、開示されたシステム、装置、及び方法は、他の方式で実施されることができると理解すべきである。例えば、上記説明される装置の実施例は概略的なものにすぎず、例えば、前記ユニットの分割は論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した互いの結合又は直接的な結合又は通信接続は、いくつかのインタフェース、装置又はユニットを介した間接的結合又は通信接続であってもよく、電気的形態、機械的形態又はその他の形態であってもよい。
【００９０】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。必要に応じて、一部のユニットだけを用いるか、又はすべてのユニットを選択して本開示の実施例の目的を達成することができる。
【００９１】
また、本開示の実施例における各機能ユニットが１つの処理ユニットに集積されてもよいが、各ユニットが単独で物理的な部品として存在するか、又は２つ以上のユニットが１つのユニットに集積されてもよい。
【００９２】
ソフトウェア機能ユニットの形で実施され、独立した製品として販売または使用される場合、１つのコンピューター読み取り可能な記憶媒体に記憶されることができる。このような理解に基づいて、本開示の実施例の技術的解決手段は、本質的に、従来の技術に寄与する部分であるか、当該技術的解決手段の一部が、ソフトウェア製品の形で具現化されることができ、当該コンピュータソフトウェア製品は、１つの記憶媒体に記憶され、コンピューターデバイス（パーソナルコンピューター、サーバー、又はネットワークデバイスなどであってもよい）に、本開示の実施例で説明した方法のステップのすべて又は一部を実行させるためのいくつかの命令を含む。前述の記憶媒体は、Ｕディスク、モバイルハードディスク、読み取り専用メモリ、ランダムアクセスメモリ、磁気ディスク、又はコンパクトディスクなどのプログラムコードを記憶できるさまざまな媒体を含む。
【００９３】
以上の内容は、本開示の実施例の具体的実施形態にすぎず、本開示の実施例の保護範囲はこれらに限定されず、当業者であれば、本開示の実施例で開示される技術的範囲内に、容易に想像しうるすべての変更又は置換は、いずれも本開示の実施例の保護範囲内に含まれるべきである。したがって、本開示の実施例の保護範囲を、特許請求の範囲の保護範囲に従うものとする。
【国際調査報告】
2021510014.tif 000008
2021510014.tif 000009
2021510014.tif 000010
2021510014.tif 000011